(57)【要約】【課題】本発明は、メニュー表示装置、メニュー表示方法、メニュー表示方法のプログラム及びメニュー表示方法のプログラムを記録した記録媒体に関し、例えば多量の音楽コンテンツを蓄積して再生するオーディオ装置に適用して、簡易な構成により、画面の小さな解像度の低いディスプレイ装置によりメニューを表示する場合にあっても、視認性の劣化を有効に回避することができるようにする。【解決手段】  本発明は、ディスプレイ装置に応じてメニューの表示モードをノーマル表示モードと拡大表示モードとで切り換え、拡大表示モードにおいて、ノーマル表示モードにおける並びにより複数のメニューを表示して、フォーカスされたメニューの表示を拡大して表示する。【選択図】        図１
2005309645.tif 000002
【特許請求の範囲】
【請求項１】
ディスプレイ装置にメニュー画面を表示し、操作子の操作による前記メニュー画面におけるメニューの選択により動作を切り換えるメニュー表示装置において、
前記ディスプレイ装置に応じて、前記メニュー画面の表示モードをノーマル表示モードと拡大表示モードとで切り換え、
前記ノーマル表示モードにおいて、前記メニュー画面に複数のメニューを並べて表示し、
前記拡大表示モードにおいて、前記ノーマル表示モードにおける並びにより前記複数のメニューを表示して、前記操作子の操作によりフォーカスされたメニューの表示を拡大して表示する
ことを特徴とするメニュー表示装置。
【請求項２】
前記ディスプレイ装置に応じた前記メニュー画面の表示モードの切り換えが、ユーザーによる操作子の操作に応じた切り換えである
ことを特徴とする請求項１に記載のメニュー表示装置。
【請求項３】
前記メニューが記録再生手段に記録したコンテンツのメニューであり、
前記メニューの選択に応動して対応するコンテンツを前記記録再生手段から再生して出力する
ことを特徴とする請求項１に記載のメニュー表示装置。
【請求項４】
前記拡大表示モードにおけるメニューの拡大の表示により、メニューの内容を表示し切れない場合に、前記メニューの内容をスクロールさせて表示する
ことを特徴とする請求項１に記載のメニュー表示装置。
【請求項５】
演算処理手段による所定の処理プログラムの実行により、ディスプレイ装置にメニュー画面を表示し、操作子の操作による前記メニュー画面におけるメニューの選択により動作を切り換えるメニュー表示方法において、
前記ディスプレイ装置に応じて、前記メニュー画面の表示モードをノーマル表示モードと拡大表示モードとで切り換える表示モード切り換えのステップと、
前記ノーマル表示モードにおいては、前記メニュー画面に複数のメニューを並べて表示し、
前記拡大表示モードにおいては、前記ノーマル表示モードにおける並びにより前記複数のメニューを表示して、前記操作子の操作によりフォーカスされたメニューの表示を拡大して表示するメニュー表示のステップとを有する
ことを特徴とするメニュー表示方法。
【請求項６】
演算処理手段による実行により、ディスプレイ装置にメニュー画面を表示し、操作子の操作による前記メニュー画面におけるメニューの選択により動作を切り換えるメニュー表示方法のプログラムにおいて、
前記ディスプレイ装置に応じて、前記メニュー画面の表示モードをノーマル表示モードと拡大表示モードとで切り換える表示モード切り換えのステップと、
前記ノーマル表示モードにおいては、前記メニュー画面に複数のメニューを並べて表示し、
前記拡大表示モードにおいては、前記ノーマル表示モードにおける並びにより前記複数のメニューを表示して、前記操作子の操作によりフォーカスされたメニューの表示を拡大して表示するメニュー表示のステップとを有する
ことを特徴とするメニュー表示方法のプログラム。
【請求項７】
演算処理手段による実行により、ディスプレイ装置にメニュー画面を表示し、操作子の操作による前記メニュー画面におけるメニューの選択により動作を切り換えるメニュー表示方法のプログラムを記録した記録媒体において、
前記ディスプレイ装置に応じて、前記メニュー画面の表示モードをノーマル表示モードと拡大表示モードとで切り換える表示モード切り換えのステップと、
前記ノーマル表示モードにおいては、前記メニュー画面に複数のメニューを並べて表示し、
前記拡大表示モードにおいては、前記ノーマル表示モードにおける並びにより前記複数のメニューを表示して、前記操作子の操作によりフォーカスされたメニューの表示を拡大して表示するメニュー表示のステップとを有する
ことを特徴とするメニュー表示方法のプログラムを記録した記録媒体。
【発明の詳細な説明】
【技術分野】
【０００１】
本発明は、メニュー表示装置、メニュー表示方法、メニュー表示方法のプログラム及びメニュー表示方法のプログラムを記録した記録媒体に関し、例えば多量の音楽コンテンツを蓄積して再生するオーディオ装置に適用することができる。本発明は、ディスプレイ装置に応じてメニューの表示モードをノーマル表示モードと拡大表示モードとで切り換え、拡大表示モードにおいて、ノーマル表示モードにおける並びにより複数のメニューを表示して、フォーカスされたメニューの表示を拡大して表示することにより、簡易な構成により、画面の小さな解像度の低いディスプレイ装置によりメニューを表示する場合にあっても、視認性の劣化を有効に回避することができるようにする。
【背景技術】
【０００２】
近年、映像機器においては、ハードディスク装置に多量の映像コンテンツを記録して保持する機器が提案されるようになされており、このような機器においては、各映像コンテンツのメニューを表示してユーザーの選択を受け付けるようになされている。
【０００３】
このような映像機器においては、再生した映像コンテンツに係るビデオ信号をビデオ信号出力端子により出力し、これにより所望するディスプレイ装置により映像コンテンツを視聴することができるようになされている。またユーザーによる操作に応動してこの映像コンテンツを表示するディスプレイ装置に各種メニューを表示してユーザーによる操作を受け付けるようになされている。
【０００４】
またこのような映像機器においては、このような映像コンテンツに加えて、音楽コンテンツを記録して保持できるように構成されたものがあり、このような機器にあっては、音楽コンテンツについても、曲名、アーティスト名等によるメニューを表示し、このメニューの選択により音楽コンテンツの選択を受け付けるようになされている。
【０００５】
ところでこのような機器により音楽コンテンツを楽しむ場合にあって、映像コンテンツを表示するディスプレイ装置により各種メニューを表示する場合、十分な解像度、大きさによりメニューを表示することができ、これにより所望する音楽コンテンツを簡易かつ確実に選択することができる。
【０００６】
しかしながらこのような機器にあっては、音楽コンテンツだけを楽しむために利用する場合も考えられる。この場合、ディスプレイ装置においては、単にメニューの表示だけに使用されることにより、デザイン、大きさ等の種々の制限により、映像コンテンツを楽しむ場合のような大型で高解像度のディスプレイ装置が接続されないで、解像度の低い小型のディスプレイ装置が接続される場合も考えられ、このような場合にはメニューの内容を把握し難くなる問題がある。
【０００７】
この問題を解決する１つの方法として、接続が予測されるディスプレイ装置に応じてこのようなメニューの表示に係るＧＵＩ（Graphical User Interface）を複数種類用意し、接続されるディスプレイ装置に応じてこれら複数種類のＧＵＩを選択的に使用してメニューを表示することが考えられる。しかしながらこのようにすると複数種類のＧＵＩを設ける分、構成が煩雑になり、またＧＵＩの開発に多大な時間を要するようになる。
【０００８】
これに対して例えば特開２００３−１０８２８３号公報においては、表示画面中のウインドウ内の表示をユーザーの操作に応動して拡大表示することにより、視認性を向上する方法が提案されるようになされている。
【特許文献１】特開２００３−１０８２８３号公報
【発明の開示】
【発明が解決しようとする課題】
【０００９】
本発明は以上の点を考慮してなされたもので、簡易な構成により、画面の小さな解像度の低いディスプレイ装置によりメニューを表示する場合にあっても、視認性の劣化を有効に回避することができるメニュー表示装置、メニュー表示方法、メニュー表示方法のプログラム及びメニュー表示方法のプログラムを記録した記録媒体を提案しようとするものである。
【課題を解決するための手段】
【００１０】
かかる課題を解決するため請求項１の発明においては、ディスプレイ装置にメニュー画面を表示し、操作子の操作によるメニュー画面におけるメニューの選択により動作を切り換えるメニュー表示装置に適用して、ディスプレイ装置に応じて、メニュー画面の表示モードをノーマル表示モードと拡大表示モードとで切り換え、ノーマル表示モードにおいて、メニュー画面に複数のメニューを並べて表示し、拡大表示モードにおいて、ノーマル表示モードにおける並びにより複数のメニューを表示して、操作子の操作によりフォーカスされたメニューの表示を拡大して表示する。
【００１１】
また請求項５の発明においては、演算処理手段による所定の処理プログラムの実行により、ディスプレイ装置にメニュー画面を表示し、操作子の操作によるメニュー画面におけるメニューの選択により動作を切り換えるメニュー表示方法に適用して、ディスプレイ装置に応じて、メニュー画面の表示モードをノーマル表示モードと拡大表示モードとで切り換える表示モード切り換えのステップと、ノーマル表示モードにおいては、メニュー画面に複数のメニューを並べて表示し、拡大表示モードにおいては、ノーマル表示モードにおける並びによる複数のメニューを表示して、操作子の操作によりフォーカスされたメニューの表示を拡大して表示するメニュー表示のステップとを有するようにする。
【００１２】
また請求項６の発明においては、演算処理手段による実行により、ディスプレイ装置にメニュー画面を表示し、操作子の操作によるメニュー画面におけるメニューの選択により動作を切り換えるメニュー表示方法のプログラムに適用して、ディスプレイ装置に応じて、メニュー画面の表示モードをノーマル表示モードと拡大表示モードとで切り換える表示モード切り換えのステップと、ノーマル表示モードにおいては、メニュー画面に複数のメニューを並べて表示し、拡大表示モードにおいては、ノーマル表示モードにおける並びによる複数のメニューを表示して、操作子の操作によりフォーカスされたメニューの表示を拡大して表示するメニュー表示のステップとを有するようにする。
【００１３】
また請求項７の発明においては、演算処理手段による実行により、ディスプレイ装置にメニュー画面を表示し、操作子の操作によるメニュー画面におけるメニューの選択により動作を切り換えるメニュー表示方法のプログラムを記録した記録媒体に適用して、ディスプレイ装置に応じて、メニュー画面の表示モードをノーマル表示モードと拡大表示モードとで切り換える表示モード切り換えのステップと、ノーマル表示モードにおいては、メニュー画面に複数のメニューを並べて表示し、拡大表示モードにおいては、ノーマル表示モードにおける並びによる複数のメニューを表示して、操作子の操作によりフォーカスされたメニューの表示を拡大して表示するメニュー表示のステップとを有するようにする。
【００１４】
請求項１の構成により、メニュー表示装置に適用して、ディスプレイ装置に応じて、メニュー画面の表示モードをノーマル表示モードと拡大表示モードとで切り換え、ノーマル表示モードにおいて、メニュー画面に複数のメニューを並べて表示し、拡大表示モードにおいて、ノーマル表示モードにおける並びにより複数のメニューを表示して、操作子の操作によりフォーカスされたメニューの表示を拡大して表示すれば、画面の大きな解像度の高いディスプレイ装置については、ノーマル表示モードによりメニューを表示して十分な視認性を確保しつつ、画面の小さな解像度の低いディスプレイ装置によりメニューを表示する場合にあっては、メニューの拡大表示により視認性の劣化を有効に回避して、所望するメニーを確実に選択することができる。これにより画面の小さなディスプレイ装置と画面の大きなディスプレイ装置とでＧＵＩをそれぞれ設けることなく、簡易な構成により、画面の小さな解像度の低いディスプレイ装置によりメニューを表示する場合にあっても、視認性の劣化を有効に回避することができる。
【００１５】
これにより請求項５、請求項６、請求項７の構成によれば、簡易な構成により、画面の小さな解像度の低いディスプレイ装置によりメニューを表示する場合にあっても、視認性の劣化を有効に回避することができるメニュー表示方法、メニュー表示方法のプログラム、メニュー表示方法のプログラムを記録した記録媒体を提供することができる。
【発明の効果】
【００１６】
本発明によれば、簡易な構成により、画面の小さな解像度の低いディスプレイ装置によりメニューを表示する場合にあっても、視認性の劣化を有効に回避することができる。
【発明を実施するための最良の形態】
【００１７】
以下、適宜図面を参照しながら本発明の実施例を詳述する。
【実施例１】
【００１８】
（１）実施例の構成
図２は、本発明の実施例に係るメニュー表示装置である記録再生装置を示す斜視図である。この記録再生装置１は、映像コンテンツ、音楽コンテンツの記録再生装置であり、赤外線によるリモートコマンダ２の操作により、光ディスク、メモリカード等の記録媒体により提供されるコンテンツ、ネットワークを介して提供されるコンテンツ、放送により提供されるコンテンツ等を内蔵のハードディスク装置に記録して保持し、またこれら記録媒体等によるコンテンツ、ハードディスク装置に記録したコンテンツをユーザーに提供する。
【００１９】
記録再生装置１は、ビデオ信号出力端子を介してビデオ信号を出力できるように形成され、これにより所望のディスプレイ装置に接続して映像コンテンツを楽しむことができるようになされ、また映像コンテンツ、音楽コンテンツの選択等に係る各種のメニューをディスプレイ装置により表示してリモートコマンダ２の操作により選択できるようになされている。これによりこの記録再生装置１は、大型で解像度の高い例えば６４０ドット×４８０ドットのディスプレイ装置３Ａが接続されたり、小型で解像度の低い例えば３２０ドット×２４０ドットのディスプレイ装置３Ｂが接続されたりして、これらディスプレイ装置３Ａ、３Ｂによりメニュー画面等を表示できるようになされている。
【００２０】
なおここで大型で解像度の高いディスプレイ装置３Ａが接続される場合は、例えばリビングルームにディスプレイ装置を設置し、このディスプレイ装置を数メートル離れたところから視聴する場合等である。これに対して小型で解像度の低いディスプレイ装置３Ｂが接続される場合は、例えばディスプレイ装置３Ｂを机の上に設置し、このディスプレイ装置の表示を１メートル程度の近距離で視聴しながらディスプレイ装置３Ｂに表示されたメニューを操作する場合である。
【００２１】
図３は、この記録再生装置１を示すブロック図である。この記録再生装置１において、本体操作部１１は、この記録再生装置１の操作パネルに設けられた各種操作子であり、ユーザーによる操作を制御部１２に通知する。
【００２２】
データ保存部１３は、大容量の記録再生手段により形成され、この実施例ではハードディスク装置により形成される。データ保存部１３は、制御部１２の制御により、ネットワーク、記録媒体、放送等を介して得られる各種コンテンツを記録して保持し、またこの記録した各種コンテンツを再生してデコーダ１４に出力する。なおこれによりこの記録再生装置１では、この図３に示す構成では図示していないが、制御部１２により制御される光ディスクの記録再生機構、テレビジョン放送等の受信機構、ネットワークへの接続機構を有するようになされている。またデータ保存部１３は、コンテンツの他に、この制御部１２の処理に係る各種処理プログラム、ユーザーインターフェースに係る各種のデータ等を記録して保持する。なおデータ保存部１３にあっては、光ディスク、メモリカード等により構成してもよい。
【００２３】
デコーダ１４は、データ保存部１３で再生される各種コンテンツ、ネットワーク及び記録媒体等を介して得られる各種コンテンツをデコードして出力し、音声出力部１５は、デコーダ１４によるデコード結果から音声データを取得して再生する。これによりこの記録再生装置１では、各種の音楽コンテンツを楽しむことができるようになされ、また映像コンテンツに係る音声を聴取できるようになされている。
【００２４】
表示出力部１６は、制御部１２の制御によりデコーダ１４のデコード結果からビデオデータを取得してアナログ信号に変換し、その結果得られるビデオ信号を外部出力端子より出力する。これによりこの記録再生装置１では、この外部出力端子に接続されてなるディスプレイ装置３Ａ又は３Ｂによりコンテンツの映像を確認できるようになされている。また表示出力部１６は、制御部１２の制御により動作を切り換え、制御部１２から出力される画像データを画像メモリに展開し、ビデオデータによるビデオ信号に代えて、又はビデオデータによるビデオ信号と合成してこの画像データによるビデオ信号を出力する。これによりこの記録再生装置１では、制御部１２により作成された各種のメニューをディスプレイ装置３Ａ又は３Ｂで表示し、さらにはこのメニューの選択に係るポインタ等を表示できるようになされている。
【００２５】
メモリ１７は、制御部１２のワークエリアを構成する。リモコン受信部１８は、リモートコマンダ（リモコン）２から出力される赤外線による遠隔制御信号を受信して制御部１２に通知する。
【００２６】
制御部１２は、データ保存部１３に保存された処理プログラムを実行する演算処理手段であり、この処理プログラムの実行によりリモートコマンダ２、本体操作部１１の操作に応動してディスプレイ装置３Ａ、３Ｂに各種メニューを表示し、またメニューの表示を種々に切り換え、さらにはメニューの選択により全体の動作を切り換えてユーザーの所望するコンテンツを提供する。なおこの実施例において、この制御部１２の処理に係る処理プログラムにおいては、この記録再生装置１にインストールされて提供されるようになされているものの、このような処理プログラムの提供にあっては、ネットワークを介したダウンロードにより提供するようにしてもよく、さらには記録媒体を介して提供するようにしてもよい。なおこのような記録媒体にあっては、メモリカード、光ディスク、磁気ディスク、着脱可能なハードディスク装置等、種々の記録媒体を広く適用することができる。
【００２７】
すなわち制御部１２は、電源の立ち上げにより動作を開始してこの処理プログラムを実行し、ディスプレイ装置３Ａ、３Ｂにメインメニュー画面を表示する。制御部１２は、このメインメニュー画面に所定のメニューを表示し、このメニューの選択によりソースの選択を受け付け、さらにはディスプレイ装置３Ａ、３Ｂの表示をこの記録再生装置１の設定画面に切り換える。
【００２８】
ここで設定画面は、この記録再生装置１に係る各種設定項目のメニュー画面であり、制御部１２は、この設定画面に表示したメニューの選択により、対応する設定項目に係る詳細設定画面にディスプレイ装置３Ａ、３Ｂの表示を切り換える。またこの詳細設定画面におけるユーザーの操作により、例えば内蔵のタイマーの現在時刻、タイマー記録等の設定を受け付ける。
【００２９】
この実施例では、このような設定画面による設定項目の１つにメニュー画面の表示モードの設定が設けられ、この設定項目に係る詳細設定画面におけるメニューの選択により、高解像度ディスプレイ装置用のノーマル表示モードと低解像度ディスプレイ装置用の拡大表示モードとで、ディスプレイ装置３Ａ、３Ｂにおけるメニュー画面の表示モードを切り換えることができるようになされている。
【００３０】
これに対してメニュー画面においては、階層構造により形成され、ユーザーがソースを選択すると、制御部１２は、対応するメニューを順次表示し、ユーザーによるコンテンツの選択を受け付ける。図４は、このコンテンツの選択に係る最下層のメニュー画面を示す平面図である。制御部１２は、このメニュー画面の上部に、ソースの種類を表示し、この図４の例では、音符のマークの表示により音楽コンテンツに係るソースであることが示され、また続く「ＨＤＤジュークボックス」の表示によりデータ保存部１３に保存された音楽コンテンツの選択画面であることが示されるようになされている。
【００３１】
また左端側には、現在表示中のメニューに係る階層が表示され、この図４の例では、ウインドウズにおけるフォルダのマークが１つだけ表示されてカレントディレクトリに設けられたフォルダの内容を表示していることが示され、続く円形形状の１つの表示によりこの１つのフォルダに１枚のコンパクトディスクに係る音楽コンテンツを保持していることが示されるようになされている。また続く音符のマークのチェック欄によりいわゆる子の世代に係るコピーであることが示されるようになされている。
【００３２】
また残る領域において、最上段のタイトルエリアには、音符のマークにより音楽コンテンツであることが示され、この音楽コンテンツに係るフォルダ名、ディスク名、フォーカスされている曲のタイトル名が示されるようになされている。なおこの図４の例では、このタイトル名が簡略化されて表示されるようになされている。
【００３３】
また続いてこのフォルダに設けられた音楽コンテンツのタイトル名によるメニューＭ１、Ｍ２、Ｍ３、……が順次演奏時間と共に表示されるようになされている。
【００３４】
制御部１２は、このように複数のメニューＭ１、Ｍ２、Ｍ３、……を表示するメインメニュー画面、設定画面、詳細設定画面、各ソースに係る各メニュー画面において、ポインタＰを表示し、このポインタＰをリモートコマンダ２の操作に応動して可動させる。またこれらの画面において、各メニューＭ１、Ｍ２、Ｍ３、……を表示した領域に感応領域ＡＲ１、ＡＲ２、ＡＲ３、……を設定し、ポインタＰを可動させてポインタＰにより指示される箇所が何れかの感応領域ＡＲ１、ＡＲ２、ＡＲ３、……に一致すると、対応するメニューにフォーカスを設定する。またこのようにフォーカスを設定した状態で、ユーザーにより決定の操作子が操作されると、フォーカスが設定されてなるメニューの選択を受け付け、全体の動作を切り換える。すなわちこの図４の例では、フォーカスが設定されている音楽コンテンツを再生して音声出力部１５から出力するように、全体の動作を切り換える。
【００３５】
この一連のフォーカスに係る処理において、制御部１２は、図１に示す処理手順の実行により、メニュー画面の表示モードが拡大表示モードに設定されている場合、フォーカスされたメニューを拡大して表示し、これによりメニューに係る視認性の劣化を防止する。
【００３６】
すなわち制御部１２は、ユーザーによるリモートコマンダ２の操作によりポインタＰを可動してフォーカスされているメニューが切り換わると、この処理手順を開始し、ステップＳＰ１からステップＳＰ２に移る。ここでメニュー画面の表示モードが拡大表示モードに設定されているか否か判断することにより、対応するメニューを拡大して表示することが必要か否か判断する。ここで否定結果が得られると、ステップＳＰ２からステップＳＰ３に移り、対応するメニューを選択状態の表示に切り換えた後、ステップＳＰ４に移ってこの処理手順を終了する。
【００３７】
これにより制御部１２は、図４との対比により図５に示すように、ノーマル表示モードにおいては、同一の大きさにより対応するメニューを並べて表示し、フォーカスしたメニューＭ３については、背景の色彩を変化させるようになされている。なおこの場合に、色彩の変化に代えて、点滅させる場合等、種々の表示方法を広く適用することができる。
【００３８】
これに対してステップＳＰ２で肯定結果が得られると、制御部１２は、ステップＳＰ２からステップＳＰ５に移る。ここで制御部１２は、対応するメニューを拡大表示するように表示出力部１６の画像メモリに記録した画像データを書き換える。また続くステップＳＰ６において、このようにして拡大して表示した場合に、メニュー内における文字表示がメニューの表示領域からはみだてしまうか否か判断する。ここで例えば図４に示す例におけるメニューＭのように、タイトル名が短いコンテンツに係るメニューにおいては、拡大して表示しても文字表示がはみださないことにより、この場合、制御部１２は、ステップＳＰ３に移って、この拡大して表示したメニューを選択状態の表示に切り換えた後、ステップＳＰ４に移ってこの処理手順を終了する。
【００３９】
これにより図４との対比により図６に示すように、制御部１２は、拡大表示モードにおいては、ノーマル表示モードにおける並びによる複数のメニューを表示して、リモートコマンダ２における操作子の操作によりフォーカスされたメニューの表示を拡大して表示するようになされている。
【００４０】
しかしてこの実施例において、制御部１２は、ノーマル表示モードにおいて、縦方向について、連続するメニューＭ１、Ｍ２、Ｍ３を順次配置して、これら連続するメニューＭ１、Ｍ２、Ｍ３の間にスペースを設けて配置する。また横方向については、これらメニューＭ１、Ｍ２、Ｍ３の表示可能な領域の長さによりこれらメニューＭ１、Ｍ２、Ｍ３を表示する。これにより拡大表示モードにおいては、この縦方向の配列に係る隣接するメニューＭ２との間に設けられたスペースの分、縦方向に、対応するメニューＭ３を拡大して表示する。またこの拡大に対応するように、縦横方向に、メニュー内に表示する内容を拡大する。これによりこのメニュー内に表示する内容であるタイトルが短い場合には、このようにメニューを縦方向に拡大してメニュー内に表示する内容を縦横方向に拡大しても、タイトル名等の文字表示がメニューＭ３よりはみださないようになされている。
【００４１】
これに対して図４との対比により図７に示すように、タイトル名が長い場合には、メニューＭ１の表示からはみだしてしまうことになる。この場合、制御部１２は、ステップＳＰ６で肯定結果が得られることにより、ステップＳＰ６からステップＳＰ７に移り、対応するメニューを選択状態に設定すると共に、表示を成形する。ここでこの表示の成形は、図７（Ａ）により示すように、メニューＭ１の表示領域の大きさによりメニュー内の表示を切り出してメニュー表示に係る表示出力部１６の画像メモリに画像データを記録して実行される。これにより制御部１２は、メニューＭ１内に拡大して文字表示し、続くステップＳＰ８において、スクロールの処理を開始した後、ステップＳＰ４に移ってこの処理手順を終了する。
【００４２】
これによりこの拡大したメニューの部分を図７（Ｂ）に部分的に示すように、制御部１２は、矢印Ａにより示すように、この拡大したメニューの内容をスクロールさせて表示し、これによりタイトルが長い場合等にあっても、確実にメニューの内容を把握できるようになされている。
【００４３】
（２）実施例の動作
以上の構成において、この記録再生装置１では（図２及び図３）、ユーザーによるリモートコマンダ２の操作により、この記録再生装置１に接続されているディスプレイ装置３Ａ、３Ｂにメニュー画面が表示され、またこのメニュー画面におけるメニューの選択によりデータ保存部１３に各種のコンテンツを蓄積し、またこのような各種のコンテンツがユーザーに提供される。
【００４４】
この記録再生装置１では、このようなコンテンツが映像コンテンツ、音楽コンテンツであり、これにより映像コンテンツを楽しむ場合にあっては、比較的大画面であって、且つ解像度の高いディスプレイ装置３Ａが接続されることになる。しかしながらこのように音楽コンテンツをも蓄積して利用できることにより、音楽コンテンツだけを楽しむ目的で利用される場合もあり、このような場合には、小画面で解像度の低いディスプレイ装置３Ｂの接続が予測される。
【００４５】
これによりこの記録再生装置１では、メインメニュー画面におけるユーザーの選択により設定画面に表示が切り換えられ、この設定画面におけるメニューの選択によりメニュー画面の表示モードに係る設定が受け付けられる。これによりこの記録再生装置１では、ユーザーによる操作子の操作により、ディスプレイ装置に応じてメニュー画面の表示モードが切り換えられる。
【００４６】
このようなメニュー画面の表示モードの設定によりユーザーがノーマル表示モードを選択した場合、この記録再生装置１では、選択可能なメニューを順次配置してメニュー画面が表示される（図４及び図５）。またリモートコマンダ２の操作によりユーザーがポインタＰを移動してポインタＰにより指示される箇所が各メニューの感応領域ＡＲ１、ＡＲ２、ＡＲ３、……に一致すると、対応するメニューにフォーカスを設定し、このメニューの表示を切り換える。またこのようにしてリモートコマンダ２において、決定の操作子が操作されると、このフォーカスが設定されているメニューの選択が受け付けられ、コンテンツのメニュー画面においては、対応するコンテンツの再生が開始される。
【００４７】
これに対してユーザーが拡大表示モードを選択した場合、ノーマル表示モードにおける並びにより複数のメニューを表示して、フォーカスされたメニューの表示が拡大して表示される（図６）。またこのとき、この拡大したメニュー内に表示する内容を表示しきれない場合、メニュー内の表示がスクロールにより表示される（図７）。またこのようにメニューを拡大して表示して、決定の操作子が操作されると、このフォーカスが設定されて拡大表示しているメニューの選択が受け付けられ、コンテンツのメニュー画面においては、対応するコンテンツの再生が開始される。
【００４８】
これによりこの記録再生装置１では、画面の小さな解像度の低いディスプレイ装置３Ｂを接続する場合でも、この拡大表示モードに設定することにより視認性の劣化を有効に回避できるようになされている。
【００４９】
またこのようにして一部メニューを拡大して表示する場合にあっては、これら各種メニュー画面のデザイン等に係るＧＵＩには何ら変更を加えることなく、画像表示部１６に設けられた画像メモリに対して、単に拡大表示に供する画像データの出力を変更するだけで対応することができ、これにより簡易な構成により視認性の劣化を有効に回避することができる。
【００５０】
（３）実施例の効果
以上の構成によれば、ディスプレイ装置に応じてメニューの表示モードをノーマル表示モードと拡大表示モードとで切り換え、拡大表示モードにおいて、ノーマル表示モードにおける並びにより複数のメニューを表示して、フォーカスされたメニューの表示を拡大して表示することにより、簡易な構成により、画面の小さな解像度の低いディスプレイ装置によりメニューを表示する場合にあっても、視認性の劣化を有効に回避することができる。
【００５１】
またこのディスプレイ装置に応じたメニュー画面の表示モードの切り換えが、ユーザーによる操作子の操作に応じた切り換えであることにより、ユーザーの必要に応じてメニューの表示を切り換えることができ、これにより使い勝手を向上することができる。
【００５２】
またこのメニューが記録再生手段であるデータ保存部１３に記録したコンテンツのメニューであり、メニューの選択に応動して対応するコンテンツを再生して出力することにより、多量のコンテンツを記録してユーザーに提供する場合に適用して、所望するコンテンツを簡易かつ確実に選択することができる。
【００５３】
またこのように拡大して表示して、メニューの内容を表示しきれない場合には、このメニューの内容をスクロールさせて表示することにより、確実にメニューの内容を把握して所望するメニューを選択することができる。
【実施例２】
【００５４】
なお上述の実施例においては、隣接するメニューとの間に設けられるスペースの分、メニューを拡大して表示する場合について述べたが、本発明はこれに限らず、例えば図８に示すように隣接するメニューに重ねて表示するようにして、メニューを拡大表示するようにしてもよい。
【００５５】
また上述の実施例においては、操作子の操作により表示モードを切り換える場合について述べたが、本発明はこれに限らず、ディスプレイ装置の大きさを検出して自動的に表示モードを切り換えるようにしてもよい。なおこのようなディスプレイ装置の大きさの検出においては、例えばコンピュータにおけるモニタの検出手法を適用することができる。
【００５６】
また上述の実施例においては、コンテンツの記録再生装置に本発明を適用してメニューを表示する場合について述べたが、本発明はこれに限らず、メニューを表示してユーザーによる操作を受け付ける種々の機器に広く適用することができる。
【産業上の利用可能性】
【００５７】
本発明は、例えば多量の音楽コンテンツを蓄積して再生するオーディオ装置に適用することができる。
【図面の簡単な説明】
【００５８】
【図１】本発明の実施例に係る記録再生装置の表示部の処理手順を示すフローチャートである。
【図２】本発明の実施例に係る記録再生装置を示す斜視図である。
【図３】本発明の実施例に係る記録再生装置を示すブロック図である。
【図４】図２の記録再生装置におけるメニュー画面を示す平面図である。
【図５】図２の記録再生装置におけるノーマル表示モードにおけるメニュー画面を示す平面図である。
【図６】図２の記録再生装置における拡大表示モードにおけるメニュー画面を示す平面図である。
【図７】図２の記録再生装置における拡大表示モードにおけるスクロール表示を示す平面図である。
【図８】他の実施例に係るメニューの拡大表示の例を示す平面図である。
【符号の説明】
【００５９】
１……記録再生装置、２……リモートコマンダ、３Ａ、３Ｂ……ディスプレイ装置、１２……制御部、１３……データ保存部
【図１】
2005309645.tif 000003
【図２】
2005309645.tif 000004
【図３】
2005309645.tif 000005
【図４】
2005309645.tif 000006
【図５】
2005309645.tif 000007
【図６】
2005309645.tif 000008
【図７】
2005309645.tif 000009
【図８】
2005309645.tif 000010